(57)【要約】【課題】発光部から出射した光の利用効率を向上させることができる照明装置および容器ホルダを提供することである。【解決手段】実施形態に係る照明装置は、環状を呈し、内周面から光を照射する照射部と；一端が前記照射部に設けられ、他端が前記照射部から離隔した位置に設けられ、前記他端の端面が曲面となっている入射部と；発光素子を有し、前記他端の端面と対峙させて設けられた発光部と；を具備している。【選択図】図５
2017024649.tif 000002
【特許請求の範囲】
【請求項１】
環状を呈し、内周面から光を照射する照射部と；
一端が前記照射部に設けられ、他端が前記照射部から離隔した位置に設けられ、前記他端の端面が曲面となっている入射部と；
発光素子を有し、前記他端の端面と対峙させて設けられた発光部と；
を具備した照明装置。
【請求項２】
前記曲面は、球面である請求項１記載の照明装置。
【請求項３】
前記入射部の側面は、滑らかに連続する面となっている請求項１または２に記載の照明装置。
【請求項４】
前記入射部の形状は、円柱状、楕円柱状、および円錐台状の少なくともいずれかである請求項１〜３のいずれか１つに記載の照明装置。
【請求項５】
前記入射部に導入された光の一部を反射させる第１の反射面を有し、前記入射部と前記照射部との接続部分の近傍に設けられ、前記照射部の外周面に開口する凹部と；
前記入射部と前記照射部との接続部分の近傍に設けられ、前記第１の反射面で反射した光を反射させる第２の反射面を有する孔部と；
をさらに具備した請求項１〜４のいずれか１つに記載の照明装置。
【請求項６】
前記入射部は複数設けられ、前記複数の入射部は同じ方向に延びている請求項１〜５のいずれか１つに記載の照明装置。
【請求項７】
前記照射部の前記内周面の全面には、均一な密度の微細な凹凸が設けられ、
前記照射部の上面、下面、および外周面の少なくともいずれかにおける一部の領域には、微細な凹凸が設けられている請求項１〜６のいずれか１つに記載の照明装置。
【請求項８】
前記入射部に設けられ、前記入射部が延びる方向と交差する方向に突出する突出部をさらに具備した請求項１〜７のいずれか１つに記載の照明装置。
【請求項９】
容器を挿入する孔部を有したカバー部と；
前記容器を挿入する開口を有し、前記カバー部の孔部に前記開口を対峙させて設けられた保持部と；
前記カバー部と、前記保持部と、の間に設けられた請求項１〜８のいずれか１つに記載の照明装置と；
を具備した容器ホルダ。
【発明の詳細な説明】
【技術分野】
【０００１】
本発明の実施形態は、照明装置および容器ホルダに関する。
【背景技術】
【０００２】
発光ダイオードを有する発光部と、発光部から出射された光が導入される環状の照射部を備えた照明装置がある。  
この様な照明装置によれば、照射部に導入された光を環状の照射部の内側に照射することができる。  
例えば、環状の照射部の内側に設けられた部材に対して周囲から光を照射したり、環状の照射部の内周面を光らせて部材を設ける際の目印にしたりすることができる。  
この様な照明装置においては、発光部から出射した光の利用効率を向上させることが望まれていた。
【先行技術文献】
【特許文献】
【０００３】
【特許文献１】特開２００１−１１８４６３号公報
【発明の概要】
【発明が解決しようとする課題】
【０００４】
本発明が解決しようとする課題は、発光部から出射した光の利用効率を向上させることができる照明装置および容器ホルダを提供することである。
【課題を解決するための手段】
【０００５】
実施形態に係る照明装置は、環状を呈し、内周面から光を照射する照射部と；一端が前記照射部に設けられ、他端が前記照射部から離隔した位置に設けられ、前記他端の端面が曲面となっている入射部と；発光素子を有し、前記他端の端面と対峙させて設けられた発光部と；を具備している。
【発明の効果】
【０００６】
本発明の実施形態によれば、発光部から出射した光の利用効率を向上させることができる照明装置および容器ホルダを提供することができる。
【図面の簡単な説明】
【０００７】
【図１】本実施の形態に係る容器ホルダ１００を例示するための模式斜視図である。
【図２】本実施の形態に係る容器ホルダ１００を例示するための模式分解図である。
【図３】本実施の形態に係る照明装置１を例示するための模式図である。
【図４】入射部３ｂおよび入射部３ｄを例示するための模式斜視図である。
【図５】凹部３ｈ、凹部３ｉ、孔部３ｊ、および孔部３ｋを例示するための模式図である。
【図６】他の実施形態に係る入射部１３ｂおよび入射部１３ｄを例示するための模式斜視図である。
【図７】照明部３の表面性状を例示するための模式斜視図である。
【図８】突出部２３を例示するための模式図である。
【図９】１つの容器を保持させることができる容器ホルダ１１０を例示するための模式斜視図である。
【図１０】容器ホルダ１１０に設けられる照明部３３を例示するための模式図である。
【図１１】他の実施形態に係る入射部の配設形態を例示するための模式斜視図である。
【発明を実施するための形態】
【０００８】
実施形態に係る照明装置は、環状を呈し、内周面から光を照射する照射部と；一端が前記照射部に設けられ、他端が前記照射部から離隔した位置に設けられ、前記他端の端面が曲面となっている入射部と；発光素子を有し、前記他端の端面と対峙させて設けられた発光部と；を具備している。  
この照明装置によれば、入射部の端面（入射面）に入射する光が反射され難くなるので、発光部から出射した光の利用効率を向上させることができる。
【０００９】
また、前記曲面は、球面とすることができる。  
この様にすれば、光の反射を効果的に抑制することができる。
【００１０】
また、前記入射部の側面は、滑らかに連続する面とすることができる。  
この様にすれば、入射部の側面から漏れる光の量を少なくすることができる。
【００１１】
また、前記入射部の形状は、円柱状、楕円柱状、および円錐台状の少なくともいずれかとすることができる。  
この様にすれば、入射部の側面から漏れる光の量を少なくすることができる。
【００１２】
また、前記入射部に導入された光の一部を反射させる第１の反射面を有し、前記入射部と前記照射部との接続部分の近傍に設けられ、前記照射部の外周面に開口する凹部と；前記入射部と前記照射部との接続部分の近傍に設けられ、前記第１の反射面で反射した光を反射させる第２の反射面を有する孔部と；をさらに具備することができる。  
この様にすれば、照明部の内周面における明るさのむらが少なくなるようにすることができる。
【００１３】
また、前記入射部は複数設けられ、前記複数の入射部は同じ方向に延びている様にすることができる。  
この様にすれば、スペース効率を向上させることができる。
【００１４】
また、前記照射部の前記内周面の全面には、均一な密度の微細な凹凸が設けられ、前記照射部の上面、下面、および外周面の少なくともいずれかにおける一部の領域には、微細な凹凸が設けられているようにすることができる。  
この様にすれば、点灯時に内周面を目視した際に内周面が明るく見える。また、消灯時に内周面に色むらが生じることがない。
【００１５】
また、前記入射部に設けられ、前記入射部が延びる方向と交差する方向に突出する突出部をさらに具備することができる。  
この様にすれば、水分が入射部を伝って発光部に到達するのを抑制することができる。
【００１６】
また、実施形態に係る容器ホルダは、容器を挿入する孔部を有したカバー部と；前記容器を挿入する開口を有し、前記カバー部の孔部に前記開口を対峙させて設けられた保持部と；前記カバー部と、前記保持部と、の間に設けられた上記の照明装置と；を具備している。  
この容器ホルダによれば、入射部の端面（入射面）に入射する光が反射され難くなるので、発光部から出射した光の利用効率を向上させることができる。
【００１７】
以下、図面を参照しつつ、実施の形態について例示をする。なお、各図面中、同様の構成要素には同一の符号を付して詳細な説明は適宜省略する。  
図１は、本実施の形態に係る容器ホルダ１００を例示するための模式斜視図である。  
図２は、本実施の形態に係る容器ホルダ１００を例示するための模式分解図である。  
図３は、本実施の形態に係る照明装置１を例示するための模式図である。  
図４は、入射部３ｂおよび入射部３ｄを例示するための模式斜視図である。
【００１８】
図１および図２に示すように、容器ホルダ１００には、カバー部１０１、保持部１０２、および照明装置１が設けられている。  
図１および図２に例示をした容器ホルダ１００には、容器を２つまで保持させることができる。  
容器ホルダ１００に保持させる容器は、例えば、飲料が収納される容器とすることができる。容器は、例えば、紙や樹脂などからなるカップ、缶、瓶などとすることができる。
【００１９】
容器ホルダ１００は、例えば、自動車、鉄道車両、航空機、船舶などの移動体の室内に設けることができる。この場合、容器ホルダ１００は、例えば、乗員が座る座席の近傍に設けることができる。
【００２０】
また、容器ホルダ１００に容器を保持させた場合には、容器の端部がカバー部１０１から突出するようになっている。  
そして、容器を挿入していない状態においては、カバー部１０１の孔部１０１ａを介して照明部３の内周面３ｇ（発光面）が目視できるようになっている。
【００２１】
カバー部１０１は、板状を呈し、容器を挿入するための孔部１０１ａが設けられている。
孔部１０１ａは、カバー部１０１を厚み方向に貫通している。孔部１０１ａの大きさと形状は、照明部３の内側の孔の大きさと形状と同じとなっている。そのため、容器ホルダ１００を組み立てた際には、平面視において、孔部１０１ａの縁と、照明部３の内周面とが重なるようになっている。  
カバー部１０１の材料には特に限定はないが、例えば、樹脂などとすればカバー部１０１の製造が容易となる。  
また、カバー部１０１は、遮光性を有していてもよいし、透光性を有していてもよい。
【００２２】
カバー部１０１と照明装置１の接合は、例えば、接着剤による接着などとすることができる。  
ただし、カバー部１０１と照明装置１の接合は、必ずしも必要ではなく、例えば、照明装置１がカバー部１０１と保持部１０２とに挟まれているだけでもよい。  
また、カバー部１０１は、車両の内装材とすることもできる。
【００２３】
保持部１０２は、箱状を呈し、一方の端部側が開口している。保持部１０２の他方の端部側は、開口していてもよいし、開口していなくてもよい。保持部１０２は、カバー部１０１の孔部１０１ａに開口を対峙させて設けられている。  
保持部１０２の開口には、容器が挿入され、保持部１０２の内部の側壁および内部の底面の少なくともいずれかで、挿入された容器を保持することができるようになっている。
【００２４】
保持部１０２は、照明装置１が設けられる側とは反対側に向かうに従い断面積が漸減する形状を有している。  
保持部１０２の材料には特に限定はないが、例えば、樹脂などとすれば保持部１０２の製造が容易となる。  
また、発光素子２ｂの発熱量が多い場合には、熱伝導率の高い材料を用いて保持部１０２を形成することもできる。
【００２５】
熱伝導率の高い材料は、例えば、高熱伝導性樹脂、金属、酸化アルミニウムや窒化アルミニウムなどのセラミックスなどとすることができる。  
なお、高熱伝導性樹脂は、例えば、ＰＥＴ（Polyethyleneterephthalate）やナイロンなどの樹脂に、熱伝導率の高い炭素や酸化アルミニウムなどからなる繊維や粒子を混合させたものである。
【００２６】
保持部１０２の開口側の端部には、保持部１０２の外方に向けて突出する取付座１０２ａが設けられている。  
取付座１０２ａには、発光部２の筐体部２ａが取り付けられる。例えば、取付座１０２ａには、発光部２の筐体部２ａがねじ止めされる。
【００２７】
保持部１０２と照明装置１の接合は、例えば、接着剤による接着などとすることができる。  
ただし、保持部１０２と照明装置１の接合は、必ずしも必要ではなく、例えば、照明装置１がカバー部１０１と保持部１０２とに挟まれているだけでもよい。  
また、保持部１０２は、例えば、車両に設けられる部材などとすることもできる。
【００２８】
照明装置１は、カバー部１０１と保持部１０２の間に設けられている。  
図３に示すように、照明装置１には、発光部２および照明部３が設けられている。  
発光部２には、筐体部２ａおよび発光素子２ｂが設けられている。  
図３に例示をしたものの場合には、発光部２が２つ設けられている。
【００２９】
発光部２から出射した光は、照明部３（入射部３ｂ、３ｄ）の内部に導入され、照明部３の内部を伝播する。この際、伝播する光は減衰するので、伝播する距離が長くなるほど照明部３から照射される光の強度が弱くなるおそれがある。この場合、複数の発光部２を設ければ、１つの発光部２が受け持つ伝播距離を短くすることができるので、照明部３から照射される光の強度を高めることが容易となる。一方、発光部２の数を多くすると照明装置１の大型化や高コスト化を招くことになる。
【００３０】
そのため、発光部２の数は、照明部３から照射される光の強度が所定の値以上となるように適宜変更することができる。  
なお、照明部３から照射される光の強度が所定の値以上であれば、発光部２の数は１つでもよい。
【００３１】
筐体部２ａは、発光素子２ｂを保持するとともに、発光素子２ｂを保護する。  
筐体部２ａは、平面形状がＴ字状を呈し、一方の端部が光の照射面２ａ１となっている。照射面２ａ１には、レンズなどの光学要素を設けることもできる。
【００３２】
また、筐体部２ａの他方の端部には取付部２ａ２が設けられている。  
容器ホルダ１００を組み立てる際には、取付部２ａ２を保持部１０２の取付座１０２ａの上に載置し、取付部２ａ２に設けられた穴に例えばタッピングねじをねじ込むことで、保持部１０２に筐体部２ａ、ひいては発光部２を取り付けることができる。
【００３３】
筐体部２ａの材料には特に限定はないが、例えば、樹脂などとすれば筐体部２ａの製造が容易となる。  
また、発光素子２ｂの発熱量が多い場合には、熱伝導率の高い材料を用いて筐体部２ａを形成することもできる。  
熱伝導率の高い材料は、例えば、前述した高熱伝導性樹脂、金属、酸化アルミニウムや窒化アルミニウムなどのセラミックスなどとすることができる。
【００３４】
発光素子２ｂは、筐体部２ａの内部に設けられ、照射面２ａ１に向けて光を出射する。  発光素子２ｂは、例えば、発光ダイオードやレーザダイオードなどとすることができる。
発光素子２ｂの数には特に限定はない。発光素子２ｂの数は、照明部３（入射部３ｂ、３ｄ）の大きさなどに応じて適宜変更することができる。すなわち、発光素子２ｂの数は、１個以上であればよい。
【００３５】
発光素子２ｂの形状には特に限定はない。発光素子２ｂは、例えば、砲弾型の発光素子であってもよいし、表面実装型（チップ型）の発光素子であってもよい。  
発光素子２ｂに設けられた図示しない端子は、筐体部２ａから露出している。筐体部２ａから露出した図示しない端子には、コネクタなどを介して外部の電源などが接続される。
【００３６】
発光部２から出射する光の色には特に限定はない。発光部２から出射する光の色は、例えば、車両の内装材の色やデザインなどを考慮して適宜変更することができる。  
発光部２から出射する光の色は、例えば、蛍光体を含む樹脂などからなる波長変換部を設け、蛍光体の種類を適宜選択することで変更することができる。  
例えば、発光素子２ｂが青色発光ダイオード、蛍光体がＹＡＧ系蛍光体（イットリウム・アルミニウム・ガーネット系蛍光体）である場合には、青色発光ダイオードから照射された青色の光によりＹＡＧ系蛍光体が励起され、ＹＡＧ系蛍光体から黄色の蛍光が放射される。そして、青色の光と黄色の光が混ざり合うことで、白色の光が発光部２から出射する。  
この様に、発光部２から出射する光の色は、蛍光体の種類を適宜選択することで変更することができる。
【００３７】
照明部３は、第１の照射部３ａ、入射部３ｂ、第２の照射部３ｃ、入射部３ｄ、第３の照射部３ｅ、第４の照射部３ｆ、凹部３ｈ、凹部３ｉ、孔部３ｊ、および孔部３ｋを有する。  
第１の照射部３ａ、入射部３ｂ、第２の照射部３ｃ、入射部３ｄ、第３の照射部３ｅ、および第４の照射部３ｆは、例えば、アクリル樹脂やポリカーボネート樹脂などの透明樹脂から形成することができる。
【００３８】
第１の照射部３ａ、第２の照射部３ｃ、第３の照射部３ｅ、および第４の照射部３ｆは、一体に形成され、平面視において環状を呈する照射部となっている。  
第１の照射部３ａ、第２の照射部３ｃ、第３の照射部３ｅ、および第４の照射部３ｆからなる照射部の内周面３ｇ（照明部３の内周面３ｇ）は、光を照射する面（発光面）となっている。すなわち、環状の照射部は、内周面３ｇから光を照射する。
【００３９】
第１の照射部３ａの内周面３ａ１の形状は、挿入される容器の外周面の形状の一部と相似となるようにすることができる。  
図３に例示をしたものの場合には、平面視における第１の照射部３ａの内周面３ａ１の形状は、円の一部となっている。
【００４０】
入射部３ｂは、棒状を呈し、第１の照射部３ａの外方に向けて突出している。  
入射部３ｂの一端は、第１の照射部３ａの外周面に接続されている。入射部３ｂの他端は、第１の照射部３ａから離隔した位置に設けられている。入射部３ｂの他端は、発光部２に対峙している。入射部３ｂの他端の端面は、発光部２からの光が入射する入射面となっている。
【００４１】
ここで、入射部３ｂの入射面３ｂ１（光の導入面）の形状が、入射部３ｂが延びる方向に対して垂直な平面であるとすると、発光部２から出射し入射面３ｂ１に入射する光の入射角が、ほぼ９０°となる。  
そのため、入射面３ｂ１に入射する光が反射されやすくなるので、発光部２から出射した光の利用効率が悪くなるおそれがある。  
そこで、本実施の形態に係る照明装置１においては、入射面３ｂ１の形状を曲面としている。  
例えば、入射面３ｂ１の形状は、球面などとすることができる。  
この様にすれば、入射面３ｂ１に入射する光が反射され難くなるので、発光部２から出射した光の利用効率を向上させることができる。  
この場合、図４および図５に示すように、入射面３ｂ１の形状は、外方に向けて突出する曲面とすることができる。  
また、本発明者らの得た知見によれば、入射面３ｂ１の形状を曲面とし、曲率半径を１０ｍｍ以上、３０ｍｍ以下とすれば、光の利用効率を３０％程度向上させることができる。
【００４２】
第２の照射部３ｃは、第１の照射部３ａと同様の形状および寸法を有するものとすることができる。この場合、第２の照射部３ｃは、照明部３の中心に対して第１の照射部３ａと点対称となるようにすることができる。
【００４３】
入射部３ｄは、入射部３ｂと同様の形状および寸法を有するものとすることができる。この場合、入射部３ｄは、照明部３の中心に対して入射部３ｂと点対称となるようにすることができる。  
また、入射面３ｄ１は、入射面３ｂ１と同様の形状および寸法を有するものとすることができる。
【００４４】
なお、図３に例示をしたものの場合には、発光部２が２つ設けられているため入射部３ｂと入射部３ｄを設けているが、発光部２が１つの場合には入射部３ｂまたは入射部３ｄが設けられていればよい。  
入射部の数は、発光部２の数と同じとすることができる。
【００４５】
第３の照射部３ｅは、第１の照射部３ａと第２の照射部３ｃとの間に設けられている。  第３の照射部３ｅの一端は第１の照射部３ａの一端に設けられ、第３の照射部３ｅの他端は第２の照射部３ｃの一端に設けられている。
【００４６】
第４の照射部３ｆは、第１の照射部３ａと第２の照射部３ｃとの間に設けられている。  第４の照射部３ｆの一端は第１の照射部３ａの他端に設けられ、第４の照射部３ｆの他端は第２の照射部３ｃの他端に設けられている。
【００４７】
第１の照射部３ａ、入射部３ｂ、第２の照射部３ｃ、入射部３ｄ、第３の照射部３ｅ、および第４の照射部３ｆの断面形状は、例えば、図４に示すように、四角形とすることができる。  
この場合、第１の照射部３ａ、第２の照射部３ｃ、第３の照射部３ｅ、および第４の照射部３ｆの断面形状を四角形とすれば、照明部３とカバー部１０１との間の密着性、および、照明部３と保持部１０２との間の密着性を向上させることができる。
【００４８】
照明部３の内周面３ｇ以外の面は外部から視認することができない。これに対して、照明部３の内周面３ｇは、カバー部１０１の孔部１０１ａを介して外部から視認することができる。  
この場合、内周面３ｇに明るさのむらがあると、乗員などが照明部３の内周面３ｇを視認した際に違和感を感じるおそれがある。そのため、照明装置１、ひいては容器ホルダ１００の商品価値が低下するおそれがある。
【００４９】
ここで、入射部３ｂを介して第１の照射部３ａの内部に導入された光は、第３の照射部３ｅを介して第２の照射部３ｃに導入される。  
伝播する距離が長くなるほど光は減衰するので、第２の照射部３ｃの第４の照射部３ｆが接続された側に導入される光の強度は弱くなる。  
また、光は直進性が強いので、入射部３ｄから導入された光は、第２の照射部３ｃの第３の照射部３ｅが接続された側には導入されにくい。  
そのため、図３中のＡ部が暗くなりやすくなる。  
また同様に、図３中のＢ部が暗くなりやすくなる。  
すなわち、内周面３ｇに明るさのむらが生じるおそれがある。
【００５０】
そこで、本実施の形態に係る照明部３においては、凹部３ｈ、凹部３ｉ、孔部３ｊ、および孔部３ｋを設けている。  
図５は、凹部３ｈ、凹部３ｉ、孔部３ｊ、および孔部３ｋを例示するための模式図である。  
図５に示すように、凹部３ｈは、入射部３ｂと第１の照射部３ａの接続部分の近傍に設けられている。凹部３ｈは、第１の照射部３ａの外周面に開口している。凹部３ｈは、入射部３ｂに導入された光の一部を反射させる反射面３ｈ１(第１の反射面の一例に相当する)を有している。  
凹部３ｉは、入射部３ｄと第２の照射部３ｃの接続部分の近傍に設けられている。凹部３ｉは、第２の照射部３ｃの外周面に開口している。凹部３ｉは、入射部３ｄに導入された光の一部を反射させる反射面３ｉ１（第１の反射面の一例に相当する）を有している。
【００５１】
凹部３ｈの内部には、照明部３が設けられた環境に含まれる気体（一般的には空気）が満たされている。反射面３ｈ１は、照明部３の材料の屈折率と気体の屈折率との差に応じて光を反射する。  
凹部３ｈの反射面３ｈ１は、入射部３ｂの入射面３ｂ１と対峙している。反射面３ｈ１の面積は、入射面３ｂ１の面積よりも小さい。  
入射部３ｂの側面３ｂ２と、反射面３ｈ１とがなす角度θは、９０°より大きい。  
角度θは、入射した光Ｌ１を全反射させることができる角度とすることが好ましい。  
反射面３ｈ１が、入射した光Ｌ１を全反射させれば、反射面３ｈ１に入射した光Ｌ１の利用効率を向上させることができる。
【００５２】
反射面３ｈ１で反射され、照明部３の内周面３ｇに直接入射する光の量が多いと、光が直接入射した領域が明るくなりすぎる場合がある。  
この様な場合には、孔部３ｊを設けて、照明部３の内周面３ｇに直接入射する光の量が多くなりすぎないようにすればよい。  
孔部３ｊは、入射部３ｂと第１の照射部３ａの接続部分の近傍に設けられている。孔部３ｊは、入射部３ｂの側面３ｂ２側および照明部３の内周面３ｇ（平面視における照明部３の外側および内側）には開口していない。孔部３ｊは、照明部３（第１の照射部３ａ）を厚み方向に貫通している。そのため、孔部３ｊの内部には、照明部３が設けられる環境に含まれる気体（一般的には空気）が満たされている。孔部３ｊは、反射面３ｊ１（第２の反射面の一例に相当する）を有する。反射面３ｊ１は、照明部３の材料の屈折率と気体の屈折率との差に応じて光を反射する。反射面３ｊ１は、反射面３ｈ１で反射された光Ｌ１が入射する位置に設けられている。反射面３ｊ１と、反射面３ｈ１で反射された光Ｌ１とがなす角度は、入射した光Ｌ１を全反射させることができる角度とすることが好ましい。反射面３ｊ１が、入射した光Ｌ１を全反射すれば、反射面３ｊ１に入射した光の利用効率を向上させることができる。
【００５３】
入射面３ｂ１から入射部３ｂの内部に導入された光の一部（光Ｌ１）は反射面３ｈ１に入射し、反射面３ｈ１で反射されて反射面３ｊ１に入射する。反射面３ｊ１に入射した光Ｌ１は、反射面３ｊ１で反射されて伝播方向が変えられる。この際、照射部３の内周面３ｇにおける明るさのむらが低減されるように光Ｌ１の伝播方向が変えられる。  
反射面３ｈ１に入射しなかった光Ｌ２は、第１の照射部３ａの第３の照射部３ｅが接続された側に導入される。
【００５４】
この様に、凹部３ｈは、入射部３ｂの内部に導入された光を、第１の照射部３ａの第４の照射部３ｆが接続された側と、第１の照射部３ａの第３の照射部３ｅが接続された側とに分配する。  
この場合、光の分配率は、照明部３の内周面３ｇにおける明るさのむらが少なくなるように適宜変更することができる。  
光の分配率は、反射面３ｈ１の面積、反射面３ｈ１の配設位置、および角度θを変化させることで適宜設定することができる。  
また、反射面３ｊ１で反射された光Ｌ１の伝播方向は、反射面３ｊ１と、反射面３ｈ１で反射された光Ｌ１とがなす角度、および反射面３ｊ１の配設位置を変化させることで適宜変更することができる。  
以上は、凹部３ｈおよび孔部３ｊの作用および効果であるが、凹部３ｉおよび孔部３ｋの作用および効果も同様である。
【００５５】
また、平面視において三角形状を呈する凹部３ｈおよび凹部３ｉを例示したが、反射面３ｈ１および反射面３ｉ１を有していれば凹部３ｈおよび凹部３ｉの形状には特に限定はない。  
また、平面視において三角形状を呈する孔部３ｊおよび孔部３ｋを例示したが、反射面３ｊ１および反射面３ｋ１（第２の反射面の一例に相当する）を有していれば孔部３ｊおよび孔部３ｋの形状には特に限定はない。
【００５６】
また、入射部の配設位置や数は、適宜変更することができる。  
この場合、凹部および孔部の配設位置や数も、入射部の配設位置や数に応じて適宜変更することができる。  
例えば、入射部３ｄ、凹部３ｉ、および孔部３ｋは、入射部３ｂ、凹部３ｈ、および孔部３ｊとそれぞれが線対称となる位置に設けることもできる。
また、複数の入射部は同じ方向に延びている様にすることができる。  
この様にすれば、スペース効率を向上させることができる。
【００５７】
次に、他の実施形態に係る入射部１３ｂおよび入射部１３ｄについて説明する。  
図６は、他の実施形態に係る入射部１３ｂおよび入射部１３ｄを例示するための模式斜視図である。  
図４に例示をした入射部３ｂおよび入射部３ｄの形状は、四角柱であった。  
入射部３ｂおよび入射部３ｄの断面形状が四角形の場合には、角の部分より光が漏れやすくなる。  
そのため、図６に示すように、入射部１３ｂおよび入射部１３ｄの形状は、円柱状としている。  
入射部１３ｂおよび入射部１３ｄの形状が円柱状であれば、側面１３ｂ２および側面１３ｄ２が滑らかに連続する面となるので、側面１３ｂ２および側面１３ｄ２から漏れる光を少なくすることができる。  
そのため、発光部２から出射した光の利用効率をさらに向上させることができる。
【００５８】
また、入射面１３ｂ１および入射面１３ｄ１の形状は、曲面とすることができる。  
この様にすれば、入射面１３ｂ１および入射面１３ｄ１に入射する光が反射され難くなるので、発光部２から出射した光の利用効率を向上させることができる。  
この場合、図６に示すように、入射面１３ｂ１および入射面１３ｄ１の形状は、外方に向けて突出する曲面とすることができる。  
また、本発明者らの得た知見によれば、入射面１３ｂ１および入射面１３ｄ１の形状を曲面とし、曲率半径を１０ｍｍ以上、３０ｍｍ以下とすれば、光の利用効率を３０％程度向上させることができる。
【００５９】
また、入射部１３ｂおよび入射部１３ｄの形状が円柱状（断面形状が円）の場合を例示したが、側面１３ｂ２および側面１３ｄ２が滑らかに連続する面となっていればよい。  
例えば、入射部１３ｂおよび入射部１３ｄの形状は、楕円柱状、円錐台状などであってもよい。  
入射部１３ｂおよび入射部１３ｄの形状が円錐台状の場合には、入射面側の断面寸法が、照射部側の断面寸法よりも短くなる様にすることができる。
【００６０】
次に、照明部３の表面性状について説明する。  
図７は、照明部３の表面性状を例示するための模式斜視図である。  
照明部３の内周面３ｇの表面に微細な凹凸を設ければ、内周面３ｇから出射する光が拡散するので、点灯時に内周面３ｇを目視した際に内周面３ｇが明るく見える。  
また、微細な凹凸の密度を高くすれば、点灯時に内周面３ｇを目視した際に内周面３ｇがより明るく見える。  
そのため、例えば、図３中のＡ部やＢ部において内周面３ｇにおける微細な凹凸の密度を高くすれば、照射部３の内周面３ｇにおける明るさのむらを低減することができる。
【００６１】
ところが、消灯時においては、内周面３ｇにおける微細な凹凸の密度の違いにより、内周面３ｇに色むらが生じる。  
そのため、内周面３ｇに微細な凹凸の密度が異なる領域を設ければ、照明装置１の商品価値が低下するおそれがある。
【００６２】
そこで、本実施の形態においては、内周面３ｇの全面に均一な密度の微細な凹凸を設けるようにしている。  
また、内周面３ｇにおける明るさが暗くなる領域の上面３ｇ１、下面３ｇ２、および外周面３ｇ３の少なくともいずれかの表面に微細な凹凸を設けれるようにしている。  
すなわち、照射部の上面３ｇ１、下面３ｇ２、および外周面３ｇ３の少なくともいずれかにおける一部の領域には、微細な凹凸が設けられている。  
なお、微細な凹凸は、例えば、ブラスト処理を施すことで形成することができる。
【００６３】
内周面３ｇの全面に均一な密度の微細な凹凸を設けるようにすれば、点灯時に内周面３ｇを目視した際に内周面３ｇが明るく見える。  
また、内周面３ｇにおける微細な凹凸の密度が均一となっているので、消灯時に内周面３ｇに色むらが生じることがない。  
また、内周面３ｇにおける明るさが暗くなる領域の上面３ｇ１、下面３ｇ２、および外周面３ｇ３の少なくともいずれかの表面に微細な凹凸を設ける様にすれば、微細な凹凸により反射、拡散された光が内周面３ｇから出射するようにすることができる。  
そのため、照射部３の内周面３ｇにおける明るさのむらを低減することができる。
【００６４】
図８は、突出部２３を例示するための模式図である。  
突出部２３は、入射部３ｂおよび入射部３ｄに設けられている。  
突出部２３は、入射部が延びる方向と交差する方向に突出している。  
突出部２３の形状は、板状とすることができる。  
この場合、突出部２３の形状は、円板状とすることができる。  
突出部２３は、入射部と一体に形成することもできるし、接着剤などを用いて突出部２３を入射部に接合することもできる。  
突出部２３の材料には特に限定はない。
【００６５】
ここで、図１に示すように、照射部３の内周面３ｇは、照明部３が設けられた環境に露出している。また、容器ホルダ１００は、飲料が収納された容器を保持する。  
そのため、結露による水や飲料などの水分が内周面３ｇなどに付着する場合がある。  
水分が内周面３ｇなどに付着すると、水分が入射部を伝って発光部２に到達するおそれがある。発光部２には、電子部品である発光素子２ｂが設けられているので、水分が発光素子２ｂに付くと発光素子２ｂが故障するおそれがある。  
そこで、本実施の形態においては、入射部に突出部２３を設けることで、水分が入射部を伝って発光部２に到達するのを抑制するようにしている。  
突出部２３を設けるようにすれば、照射部３の故障を抑制することができる。
【００６６】
以上においては、容器を２つまで保持させることができる容器ホルダ１００を例示したが、容器を１つ、あるいは容器を３つ以上保持させることができる容器ホルダとすることもできる。  
図９は、１つの容器を保持させることができる容器ホルダ１１０を例示するための模式斜視図である。  
図１０は、容器ホルダ１１０に設けられる照明部３３を例示するための模式図である。
【００６７】
図９および図１０に示すように、容器ホルダ１１０には、カバー部１１１、保持部１１２、および照明装置１１が設けられている。  
照明装置１１には、発光部２および照明部３３が設けられている。  
１つの容器を保持させること以外は、前述した容器ホルダ１００および照明装置１と同様とすることができる。  
そのため、容器ホルダ１１０に関する詳細な説明は省略する。
【００６８】
また、以上においては、照射部３の外周面に設けられた入射部を例示したが、入射部は、照射部３の上面および下面の少なくともいずれかに設けることもできる。すなわち、入射部は、一端が照射部に設けられ、他端が発光部に対峙していればよい。
【００６９】
図１１は、他の実施形態に係る入射部の配設形態を例示するための模式斜視図である。  図１１に示すように、入射部３ｂは、照射部３の下面に設けられていてもよい。
【００７０】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００７１】
１  照明装置、２  発光部、２ａ  筐体部、２ｂ  発光素子、３  照明部、３ａ  第１の照射部、３ｂ  入射部、３ｂ１  入射面、３ｃ  第２の照射部、３ｄ  入射部、３ｄ１  入射面、３ｅ  第３の照射部、３ｆ  第４の照射部、３ｇ  内周面、３ｇ１  上面、３ｇ２  下面、３ｇ３  外周面、３ｈ  凹部、３ｈ１  反射面、３ｉ  凹部、３ｉ１  反射面、３ｊ  孔部、３ｊ１  反射面、３ｋ  孔部、３ｋ１  反射面、２３  突出部、３３  照明部、１００  容器ホルダ、１０１  カバー部、１０１ａ  孔部、１０２  保持部、１１０  容器ホルダ、１１１  カバー部、１１２  保持部
【図１】
2017024649.tif 000003
【図２】
2017024649.tif 000004
【図３】
2017024649.tif 000005
【図４】
2017024649.tif 000006
【図５】
2017024649.tif 000007
【図６】
2017024649.tif 000008
【図７】
2017024649.tif 000009
【図８】
2017024649.tif 000010
【図９】
2017024649.tif 000011
【図１０】
2017024649.tif 000012
【図１１】
2017024649.tif 000013